(57)【要約】【課題】省部品化・組立工数低減による低コストで防塵性能の高い走査光学装置。【解決手段】筐体とふたの間に挿入される弾性部材にはふたの面と直交する方向にも遮蔽部となる部位が一体的に形成され、偏向手段の密閉部を構成する走査光学装置。【選択図】        図１
2004317787.tif 000002
【特許請求の範囲】
【請求項１】
光源部、該光源部から出射される光束を偏向走査させる偏向手段、偏向手段からの光束を感光体へ結像させる結像手段、該光源部・該偏向手段・該結像手段を搭載する筐体、該筐体の開口部の閉塞手段および該筐体と該閉塞手段の隙間に挿入される弾性部材にて構成される走査光学装置において、該弾性部材には該筐体内部の該偏向手段部を密閉する遮蔽部が、該偏向手段によって偏向される光束に直交する平面上に一体的に形成されていることを特徴とする走査光学装置。
【発明の詳細な説明】
【０００１】
【発明の属する技術分野】
本発明は、レーザビームプリンタ・レーザファクシミリ等の画像記録装置等に用いられる走査光学装置に関するものである。
【０００２】
【従来の技術】
レーザビームプリンタなどの高精細化や高速化に伴い、走査光学装置の防塵性能、特に高速で回転する偏光手段が搭載される空間の防塵性能が非常に重要になっている。この防塵性能向上の一例として、特開平１１−２２３７９２号公報と特開２００１−４２２４４号公報がある。特開平１１−２２３７９２号公報には、筐体を閉塞するふた部材と筐体に間に中抜き形状の弾性部材を配し、高速回転する偏向手段の放熱と偏向手段部の密閉性を両立する形態が示されている。また特開２００１−４２２４４号公報は、結像レンズ周囲に弾性部材を配し結像レンズ周囲からの塵埃の侵入を防止する構成が示されている。
【０００３】
【発明が解決しようとする課題】
しかしながら上記従来例によれば、密閉する各部位毎に弾性体などの密閉部材が構成されているので、複数の部品が必要になり、部品代や組立費が増加しコストアップになる。という問題点が生じていた。
【０００４】
本発明は、上記従来の技術の有する未解決の課題に鑑みてなされたものであって本出願に係る発明の目的は、走査光学装置内の偏向手段部を一つの弾性部材により密閉することで、外部から侵入する塵埃による汚染を防ぎ画質の劣化のない走査光学装置を提供することにある。
【０００５】
【課題を解決するための手段】
上記目的を達成するため本出願に係る第１の発明は、光源部、光源部から出射される光束を偏向走査させる偏向手段、偏向手段からの光束を感光体へ結像させる結像手段、光源部・偏向手段・結像手段を搭載する筐体、筐体の開口部の閉塞手段および筐体と閉塞手段の隙間に挿入される弾性部材にて構成される走査光学装置において、弾性部材には筐体内部の偏向手段部を密閉する遮蔽部が、偏向手段によって偏向される光束に直交する平面上に一体的に形成されていることを特徴とする。
【０００６】
上記構成において、筐体と閉塞手段部を防塵する弾性部材が結像レンズ周囲から偏向手段への塵埃の侵入を防止するので、偏向手段周囲の防塵性能を向上する。
【０００７】
【発明の実施の形態】
（第１の実施例）
本発明の走査光学装置１の特徴を最もよく表わす図画として、図１に走査光学装置の平面図、図２に断面図、図３に閉塞手段と弾性部材を除いた状態の走査光学装置の外観図を示す。
【０００８】
２は半導体レーザ（不図示）とコリメータレンズ（不図示）を搭載する光源装置。
【０００９】
Ｊは光源装置２から出射されるレーザ光。
【００１０】
３はシリンドリカルレンズ。
【００１１】
４は偏向走査装置。
【００１２】
４ａはポリゴンミラー。
【００１３】
４ｂはモータ部。
【００１４】
４ｃは偏向走査装置Ｒのハーネス。
【００１５】
５は第１の結像レンズ
６は第２の結像レンズ。
【００１６】
６ａは入射面。
【００１７】
６ｂは出射面。
【００１８】
６ｃ・６ｄは基準面。
【００１９】
６ｅは当接面。
【００２０】
７は折返しミラー。
【００２１】
８は走査開始検出器９にレーザ光を導く検出器用ミラー。
【００２２】
９は走査開始信号検出器。
【００２３】
１０ａ・１０ｂは結像レンズ６の固定板。
【００２４】
１１は筐体。
【００２５】
１１ａは弾性部材１２（後述）の当接面。（図３斜線部参照）
１１ｂ〜１１ｅはねじ穴部。
【００２６】
１１ｆ・１１ｇはフック。
【００２７】
１１ｈ・１１ｉは遮蔽壁。
【００２８】
１１ｊは溝。
【００２９】
１１ｋは結像レンズ６の設置面。
【００３０】
１２は弾性部材。
【００３１】
１２ａは打抜き部。
【００３２】
１２ｂは結像レンズ６にの入射面側に係合する取付け穴。
【００３３】
１２ｃ・１２ｄは結像レンズ６に接触する遮蔽部。
【００３４】
１２ｅ〜１２ｈはねじ穴部。
【００３５】
１２ｉ・１２ｊはフック穴部。
【００３６】
１３はふた。
【００３７】
１４ａ〜１４ｄはねじ。
である。
【００３８】
上記構成における本走査光学装置１の基本的な動作を説明すると、光源装置Ｅから発生されたレーザ光ＪはシリンドリカルレンズＧを経て偏向走査装置ＲのポリゴンミラーＲ１０に照射し走査偏向される。その後レーザ光Ｊは結像レンズＦ１０・Ｆ２０を経て折返しミラーＭによって反射され、図示しない感光ドラムの表面に結像される。感光ドラムに結像されるレーザ光ＪはポリゴンミラーＲ１０の回転による主走査および感光ドラムの回転による副走査によって静電潜像を形成する。また、ポリゴンミラーＲ１０によって偏向走査されたレーザ光Ｊの一部分は検出器用ミラーＢによって走査開始信号検出器Ｄへ導入され、走査開始信号検出器Ｄの出力信号によって、光源装置Ｅの半導体レーザ（不図示）が書き込み変調を開始する。
【００３９】
次に上記構成における組立を説明すると、筐体１１の壁面には光源装置２がねじ等（不図示）により取り付けられ、光源装置２から出射されるレーザ光Ｊの光軸上にはレーザ光束を線状に集光するシリンドリカルレンズ３と偏向走査装置４が筐体１１の底面に配置される。
【００４０】
さらに偏向走査装置４と感光体（不図示）の間のレーザ光Ｊの光路内には結像レンズ５と６および折返しミラー７が配置され、また、走査開始信号検出器９および検出器用ミラー８が筐体１１の底面などに配置される。配置される各部品や装置はねじや固定具あるいは接着などにより筐体Ｈに固定される。各部品や装置が搭載された筐体１１は、当接面１１ａ部に搭載される弾性部材１２とふた１３と共にねじ１４ａ〜ｄにより固定・閉塞され走査光学装置１となる。
【００４１】
ここで、走査光学装置の防塵について述べる。プリンタの高精細化や高速化によって偏向手段はより高速で回転することが求められる。偏向手段の回転速度が高いほど筐体とふたとの隙間や開口部或いは嵌合部を経路として外部から塵埃が内部に侵入し易くなる。そして走査光学装置内部の光学素子を汚染し画像性能を劣化させる。特に高速で回転するポリゴンミラーの反射面に付着する塵埃は半永久的に密着した状態で画像性能を劣化させるので、この偏向手段が配置される空間の高い防塵性能が求められる。本実施例では、ひとつの弾性部材が偏向手段を含む空間部の筐体とふたの隙間と結像レンズの上下および左右空間を密閉する形態である。以下に詳細を説明する。
【００４２】
図４に結像レンズ６の外観図、図５に弾性部材１２の外観図、図６に弾性部材１２と結像レンズ６の組付け状態、図７・図８に弾性部材１２を結像レンズ６および筐体１１の組付け状態を示す。弾性部材１２には取付け穴１２ｂが形成されたコの字状に切欠かれた部位が設けられ、取付け穴１２ｂに結像レンズの入射側部位が係合する（図５参照）。次に筐体１１への結像レンズ６と弾性部材１２の組み付けを図７にて説明する。弾性部材１２の遮蔽部１２ｃは筐体１１の溝１１ｊに挿入される。溝１１ｊの幅は弾性部材１２の幅より小さく設定され溝１１ｊ部における密閉性を確保する。結像レンズ６は筐体１１の底面に設けられる設置面１１ｋに配置され、結像レンズ６の光軸方向の基準面６ｃ・６ｄを筐体１１側の基準面となる遮蔽壁１１ｈ・１１ｊに当接するように固定板１０ａ・１０ｂによって付勢・固定される。
【００４３】
次に、弾性部材１２のフック穴１２ｉ・１２ｊを筐体１１のフック１１ｆ・１１ｇに、さらにの弾性部材１２のねじ穴部１２ｅ〜１２ｈを筐体１１の凸状のねじ穴１１ｂ〜１１ｅに係合させ、筐体１１の当接面１１ａに弾性部材１２が当接された状態になる（図８斜線部参照）。この状態において、結像レンズ６の当接面６ｅと筐体１１の遮蔽壁１１ｈ・１１ｊの間隔は弾性部材１２の幅より小さく設定されているので、結合レンズ６の当接面６ｅと弾性部材１２の遮蔽部１２ｃ・１２ｄとが密着し、遮蔽壁１１ｈ・１１ｊ部において弾性部材１２を圧縮・挟持し密閉性を確保する。このように、弾性部材１２を結像レンズ６と筐体１１に形成される部位の間に挟持・密着させることで、結像レンズ６の入射面側６ａと出射面側６ｂを遮断する。
【００４４】
上記構成の第１の実施例特有の効果。
【００４５】
ひとつの弾性部材で偏向手段部の防塵性能を向上できるので、組立性を向上し組立工数とコストを低減する。
【００４６】
結像レンズ周囲の防塵機能を筐体とふたの防塵部材である弾性部材に容易に形成できるので、防塵部材の形状の自由度を向上させる。
【００４７】
（第２の実施例）
図９に第２の実施例の走査光学装置、図１０に弾性部材２０、図１１に筐体３０を示す。
【００４８】
２０は弾性部材。
【００４９】
２０ａは結像レンズ５の開口部。
【００５０】
２０ｂ・２０ｃは第２の遮蔽部。
【００５１】
３０は筐体。
【００５２】
３０ａ・３０ｂは２重構造の遮蔽壁。
【００５３】
その他の構成と作用は第１の実施例の形態と同一なのでその説明は省略する。
【００５４】
上記構成において、弾性部材２０の第２の遮蔽部２０ｂ・２０ｃを筐体３０の２重構造の遮蔽壁３０ａ・３０ｂに挿入される。第１の実施例で述べた結像レンズ６での遮蔽部に加えて、弾性部材２０の遮蔽部２０ｂ・２０ｃが偏向手段４の近傍に第２の遮蔽部が構成される。
【００５５】
上記構成の第２の実施例特有の効果。
【００５６】
結像レンズ部と筐体の偏向手段の搭載部で２重の遮蔽部を構成することができ、偏向手段の防塵性能をより向上することができる。
【００５７】
【発明の効果】
以上説明したように、本出願に係わる第１の発明によれば、新たな部品を追加することなく、筐体と閉塞手段部を密閉する弾性部材が閉塞手段に直交する方向を遮蔽し、偏向手段部の防塵性能を向上することが出来るので、形状の簡素化と低コスト化ができる。
【００５８】
したがって、省部品・小型・安価の構成で高い防塵性能を有する画像性能の劣化の少ない信頼性の高い走査光学装置を実現できる。
【図面の簡単な説明】
【図１】第１の実施例の走査光学装置の平面図。
【図２】第１の実施例の走査光学装置の断面図。
【図３】第１の実施例の走査光学装置の閉塞手段と弾性部材を除いた状態の走査光学装置の外観図。
【図４】第１の実施例の走査光学装置の結像レンズ６の外観図。
【図５】第１の実施例の走査光学装置の弾性部材１２の外観図。
【図６】第１の実施例の走査光学装置の弾性部材１２と結像レンズ６の組付け状態図。
【図７】第１の実施例の走査光学装置弾性部材１２を結像レンズ６の組付け状態図。
【図８】第１の実施例の走査光学装置弾性部材１２を結像レンズ６および筐体１１の組付け状態図。
【図９】第２の実施例の走査光学装置。
【図１０】第２の実施例の走査光学装置の弾性部材の外観図。
【図１１】第２の実施例の走査光学装置の筐体の外観図。
【符号の説明】
１  走査光学装置
６  結像レンズ
１１、３０  筐体
１２、２０  弾性部材
１１ｈ・１１ｉ  遮蔽壁
１１ｊ  溝
１２ｂ  取付け穴
１２ｃ・１２ｄ  遮蔽部
２０ｂ・２０ｃ  第２の遮蔽部。
３０ａ・３０ｂ  ２重構造の遮蔽壁。
【図１】
2004317787.tif 000003
【図２】
2004317787.tif 000004
【図３】
2004317787.tif 000005
【図４】
2004317787.tif 000006
【図５】
2004317787.tif 000007
【図６】
2004317787.tif 000008
【図７】
2004317787.tif 000009
【図８】
2004317787.tif 000010
【図９】
2004317787.tif 000011
【図１０】
2004317787.tif 000012
【図１１】
2004317787.tif 000013